(57)【要約】【課題】自分が居た時間および場所と関係付けられた撮影画像や音声などの情報を、他者から容易に得ることができるようにする。【解決手段】情報提供側装置および情報要求側装置のそれぞれは、接近して無線接続が可能になったことを互いに判別する。無線接続されたと判別したとき、情報要求側装置は、情報取得要求を情報提供側装置に送る。一方、情報提供側装置は、情報取得要求を受け付けて、少なくともその時に得られる情報を、情報要求側装置に送る。【選択図】図１
2005086608.tif 000002
【特許請求の範囲】
【請求項１】
情報提供側装置と、携帯機器からなる情報要求側装置とからなり、
前記情報提供側装置は、
情報取り込み手段により情報を取り込んで格納する情報格納手段と、
前記情報要求側装置と直接的に無線通信を行なうための第１の無線通信手段と、
前記情報要求側装置が接近して、前記第１の無線通信手段により、前記情報要求側装置と無線接続が可能になったか否かを判別する第１の判別手段と、
前記第１の判別手段で、前記情報要求側装置と無線接続されたと判別されたときに、前記第１の無線通信手段を通じた前記情報要求側装置からの情報取得要求に基づき、前記情報要求側装置に、前記情報格納手段に格納された情報のうちの、少なくとも当該無線接続中に前記情報取り込み手段により取り込まれた情報を送信する手段と、
を備え、
前記情報要求側装置は、
前記情報提供側装置と直接的に無線通信を行なうための第２の無線通信手段と、
前記情報提供側装置が接近して、前記第２の無線通信手段により、前記情報提供側装置と無線接続が可能になったか否かを判別する第２の判別手段と、
前記第２の判別手段で、前記情報提供側装置と無線接続されたと判別されたときに、前記第２の無線通信手段を通じて前記情報要求側装置の情報取得要求を、前記情報提供側装置に送る手段と、
前記情報提供側装置から、前記情報取得要求に応じて送られてくる情報を取得する手段と、
を備えることを特徴とする情報取得システム。
【請求項２】
請求項１に記載の情報取得システムにおいて、
前記情報提供側装置は、携帯機器からなる
ことを特徴とする情報取得システム。
【請求項３】
請求項１に記載の情報取得システムにおいて、
前記情報提供側装置は、所定の位置に設置された装置により構成されることを特徴とする情報取得システム。
【請求項４】
請求項１に記載の情報取得システムにおいて、
前記情報提供側装置の前記情報取り込み手段は撮像手段であり、前記情報取得要求の対象情報は、前記撮像手段で撮像された撮像画像情報である
ことを特徴とする情報取得システム。
【請求項５】
請求項４に記載の情報取得システムにおいて、
前記情報提供側装置は、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データを、その他の撮像画像データとを区別する情報を前記撮像画像データに付加する手段と、
を備えることを特徴とする情報取得システム。
【請求項６】
請求項４に記載の情報取得システムにおいて、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データのみを、前記情報要求側装置に送信する手段と、
を備えることを特徴とする情報取得システム。
【請求項７】
請求項１に記載の情報取得システムにおいて、
前記情報提供側装置および前記情報要求側装置との間で無線接続されたときに、相互に情報提供および情報要求の方針、条件などに関するポリシー情報を交換し、齟齬がないと判別したときに、前記情報提供側装置は、前記情報要求側装置から情報取得要求を受け付けて、前記情報を前記情報要求側装置に送信する
ことを特徴とする情報取得システム。
【請求項８】
請求項７に記載の情報取得システムにおいて、
前記情報提供側装置および／または前記情報要求側装置は、前記ポリシー情報を変更する操作部を備える
ことを特徴とする情報取得システム。
【請求項９】
請求項２に記載の情報取得システムにおいて、
前記情報要求側装置は、前記情報提供側装置と無線接続されているときに、情報取得要求していることを報知する手段を備える
ことを特徴とする情報取得システム。
【請求項１０】
請求項２に記載の情報取得システムにおいて、
前記情報提供側装置は、前記情報要求側装置から前記情報取得要求を受信していることを報知する手段を備える
ことを特徴とする情報取得システム。
【請求項１１】
請求項５または請求項６に記載の情報取得システムにおいて、
前記情報提供側装置は、前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする情報取得システム。
【請求項１２】
情報要求側装置と直接的に無線通信を行なうための無線通信手段と、
情報取り込み手段により情報を取り込んで格納する情報格納手段と、
前記情報要求側装置が接近して、前記無線通信手段により、前記情報要求側装置と無線接続が可能になったか否かを判別する判別手段と、
前記判別手段で、前記情報要求側装置と無線接続されたと判別されたときに、前記無線通信手段を通じた前記情報要求側装置からの情報取得要求に基づき、前記情報要求側装置に、前記情報格納手段に格納された情報のうちの、少なくとも当該無線接続中に前記情報取り込み手段により取り込まれた情報を送信する手段と、
を備えることを特徴とする情報提供側装置。
【請求項１３】
請求項１２に記載の情報提供側装置において、
携帯機器により構成されることを特徴とする情報提供側装置。
【請求項１４】
請求項１２に記載の情報提供側装置において、
所定の位置に設置された装置により構成されることを特徴とする情報提供側装置。
【請求項１５】
請求項１２に記載の情報提供側装置において、
撮像手段を備え、前記情報取得要求の対象情報は、前記撮像手段で撮像された撮像画像情報である
ことを特徴とする情報提供側装置。
【請求項１６】
請求項１５に記載の情報提供側装置において、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データと、その他の撮像画像データとを区別する情報を前記撮像画像データに付加する手段と、
を備えることを特徴とする情報提供側装置。
【請求項１７】
請求項１５に記載の情報提供側装置において、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データのみを、前記情報要求側装置に送信する手段と、
を備えることを特徴とする情報提供側装置。
【請求項１８】
請求項１２に記載の情報提供側装置において、
前記情報要求側装置との間で無線接続されたときに、相互に情報提供および情報要求の方針、条件などに関するポリシー情報を交換し、齟齬がないと判別したときに、前記情報要求側装置から情報取得要求を受け付ける
ことを特徴とする情報提供側装置。
【請求項１９】
請求項１８に記載の情報提供側装置において、
前記ポリシー情報を変更する操作部を備える
ことを特徴とする情報提供側装置。
【請求項２０】
請求項１２に記載の情報提供側装置において、
前記情報要求側装置から前記情報取得要求を受信していることを外部に対して報知する手段を備える
ことを特徴とする情報提供側装置。
【請求項２１】
請求項１６または請求項１７に記載の情報提供側装置において、
前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする情報提供側装置。
【請求項２２】
情報提供側装置と直接的に無線通信を行なうための無線通信手段と、
前記情報提供側装置が接近して、前記無線通信手段により、前記情報提供側装置と無線接続が可能になったか否かを判別する判別手段と、
前記判別手段で、前記情報提供側装置と無線接続されたと判別されたときに、前記無線通信手段を通じて情報取得要求を、前記情報提供側装置に送る手段と、
前記情報提供側装置から、前記情報取得要求に応じて送られてくる情報を取得する手段と、
を備えることを特徴とする情報要求側装置。
【請求項２３】
請求項２２に記載の情報要求側装置において、
前記情報提供側装置との間で無線接続されたときに、相互に情報提供および情報要求の方針、条件などに関するポリシー情報を交換する手段を備え、
齟齬がないときに、前記情報提供側装置で前記情報取得要求が受け付けられて、前記情報取得要求に応じた情報を取得可能となる
ことを特徴とする情報要求側装置。
【請求項２４】
請求項２３に記載の情報要求側装置において、
前記ポリシー情報を変更する操作部を備える
ことを特徴とする情報要求側装置。
【請求項２５】
請求項２２に記載の情報要求側装置において、
前記情報提供側装置と無線接続されているときに、情報取得要求していることを報知する手段を備える
ことを特徴とする情報要求側装置。
【請求項２６】
携帯型の情報要求・提供装置であって、
情報取り込み手段により情報を取り込んで格納する情報格納手段と、
他の情報要求・提供装置と直接的に無線通信を行なうための無線通信手段と、
前記他の情報要求・提供装置が接近して、前記無線通信手段により、前記他の情報要求・提供装置と無線接続が可能になったか否かを判別する判別手段と、
前記判別手段で、前記他の情報要求・提供装置と無線接続されたと判別されたときに、前記無線通信手段を通じて前記他の情報要求・提供装置からの情報取得要求に基づき、当該他の情報要求・提供装置に、前記情報格納手段に格納された情報のうちの、少なくとも当該無線接続中に前記情報取り込み手段により取り込まれた情報を送信する手段と、
前記判別手段で、前記他の情報要求・提供装置と無線接続されたと判別されたときに、前記無線通信手段を通じて情報取得要求を、前記他の情報要求・提供装置に送る手段と、
前記他の情報要求・提供装置から、前記情報取得要求に応じて送られてくる情報を取得する手段と、
を備えることを特徴とする情報要求・提供装置。
【請求項２７】
請求項２６に記載の情報要求・提供装置において、
前記情報取り込み手段は撮像手段であり、前記情報取得要求の対象情報および情報提供の対象は、前記撮像手段で撮像された撮像画像情報である
ことを特徴とする情報要求・提供装置。
【請求項２８】
請求項２７に記載の情報要求・提供装置において、
前記無線接続中の前記他の情報要求・提供装置の使用者を、前記撮像手段により撮像可能かどうかを判断する撮像可能性判断手段と、
前記撮像可能性判断手段で前記無線接続中の前記他の情報要求・提供装置の使用者を前記撮像手段により撮像可能であると判断したときの前記撮像画像データと、その他の撮像画像データとを区別する情報を前記撮像画像データに付加する手段と、
を備えることを特徴とする情報要求・提供装置。
【請求項２９】
請求項２７に記載の情報要求・提供装置において、
前記無線接続中の前記他の情報要求・提供装置の使用者を、前記撮像手段により撮像可能かどうかを判断する撮像可能性判断手段と、
前記撮像可能性判断手段で前記無線接続中の前記他の情報要求・提供装置の使用者を前記撮像手段により撮像可能であると判断したときの前記撮像画像データのみを、前記情報要求側装置に送信する手段と、
を備えることを特徴とする情報要求・提供装置。
【請求項３０】
請求項２６に記載の情報要求・提供装置において、
前記他の情報要求・提供装置との間で無線接続されたときに、相互に情報提供および情報要求の方針、条件などに関するポリシー情報を交換し、情報取得要求可能であるか、あるいは情報提供をするかを判別する
ことを特徴とする情報要求・提供装置。
【請求項３１】
請求項３０に記載の情報要求・提供装置において、
前記ポリシー情報を変更する操作部を備える
ことを特徴とする情報要求・提供装置。
【請求項３２】
請求項２６に記載の情報要求・提供装置において、
前記他の情報要求・提供装置と無線接続されているときに、情報取得要求していることを報知する手段を備える
ことを特徴とする情報要求・提供装置。
【請求項３３】
請求項２６に記載の情報要求・提供装置において、
前記他の情報要求・提供装置から前記情報取得要求を受信していることを報知する手段を備える
ことを特徴とする情報要求・提供装置。
【請求項３４】
請求項２８または請求項２９に記載の情報要求・提供装置において、
前記撮像可能性判断手段で前記無線接続中の前記他の情報要求・提供装置の使用者を前記撮像手段により撮像可能であると判断したときに、前記情報取得要求している前記他の情報要求・提供装置が存在することをユーザに報知する手段を備える
ことを特徴とする情報要求・提供装置。
【請求項３５】
情報取り込み手段により情報を取り込んで格納する情報格納手段と無線通信手段とを備える情報提供側装置と、携帯機器からなり無線通信手段を備える情報要求側装置とが、同一時間かつ同一の場所に存在したときに、前記情報格納手段に格納された情報を、前記情報要求側装置が取得するようにする情報取得方法であって、
前記情報提供側装置と前記情報要求側装置とが接近して、無線接続が可能になったことを、それぞれの情報提供側装置および情報要求側装置において判別する判別工程と、
前記判別工程で無線接続されたと判別した前記情報要求側装置が、情報取得要求を前記情報提供側装置に送る工程と、
前記判別工程で無線接続されたと判別した前記情報提供側装置が、前記情報要求側装置側からの前記情報取得要求に基づき、前記情報要求側装置に、前記情報格納手段に格納された情報のうちの、少なくとも当該無線接続中に前記情報取り込み手段により取り込まれた情報を送信する工程と、
前記情報要求側装置が、前記情報提供側装置から、前記情報取得要求に応じて送られてくる情報を取得する工程と、
を備えることを特徴とする情報取得方法。
【請求項３６】
請求項３５に記載の情報取得方法において、
前記情報提供側装置および前記情報要求側装置との間で無線接続されたときに、相互に情報提供および情報要求の方針、条件などに関するポリシー情報を交換する工程を備え、
前記ポリシー情報に齟齬がないと判別したときに、前記情報提供側装置は、前記情報要求側装置から情報取得要求を受け付けて、前記情報を前記情報要求側装置に送信する
ことを特徴とする情報取得方法。
【発明の詳細な説明】
【技術分野】
【０００１】
この発明は、或る時間に、或る場所にいたユーザが、当該時間ないし当該場所における画像情報や音声情報等の記録情報などの情報を、取得することができるようにする情報取得システムおよび当該システムに使用する情報要求・提供装置、情報提供側装置、情報要求側装置ならびに情報取得方法に関するものである。
【背景技術】
【０００２】
例えば、旅行で観光名所に行ったり、テーマパークや花火大会等のイベント会場に行ったりした場合に、自分がスチルカメラやビデオカメラを持参していないときには、カメラを所持している他人に撮影してもらって、後日、当該撮影してもらった画像をもらうようにすることが行なわれている。
【０００３】
また、自分がスチルカメラやビデオカメラを持参しているときには、当該カメラを用いて、自分の視点からの、当該観光名所の風景や同行した人を撮影したり、イベントを撮影したりして、記念として残すようにする。
【０００４】
しかし、カメラを所持して撮影している人は、自分の視点からの風景や他の同行者を撮影することができても、自分自身を撮影することはできない。そこで、自分自身が写っている画像が欲しい場合には、自分のカメラを他人に渡して、その他人に撮影してもらったり、カメラを所持している他人に撮影してもらって、後日、当該撮影してもらった画像をもらったりすることが行なわれている。
【０００５】
また、従来、特許文献１（特開２００３−３６３６５号公報）には、遠くの観光地や込み合っている観光スポットの映像や音声などの新鮮なライブ情報を、たまたまその場にいる特派員から得て、配信するようにすることが記載されている。
【特許文献１】特開２００３−３６３６５号公報。
【発明の開示】
【発明が解決しようとする課題】
【０００６】
しかしながら、他人に撮影してもらって、後日、当該撮影された画像や音声をその他人からもらうようにすることは、当該他人の善意によるところが大きく、当該他人および本人にとっても精神的な負担になることもある。また、撮影された画像や音声を取得するためには、住所を知らせたり、メールアドレスを知らせたりする必要もあり、厄介であると共に、知らない人には頼みづらい。
【０００７】
また、自分が所持しているスチルカメラやビデオカメラで、自分が撮影した画像は、自分の視点から見たものであるので、画像情報として恣意的な画像になりやすい。そこで、同じ時刻に同じ場所にいた他人の視点で撮影された画像を得たい場合が多々あるが、当該他人から、撮影された画像を取得するためには、上述と同様の問題がある。
【０００８】
また、特許文献１の技術を用いれば、他人の視点から見た撮影画像を手に入れることができるが、特許文献１の技術においては、自分が居た場所、時間と関係付けられた撮影画像を得るようになってはおらず、上述のように、自分が居た時間および場所と、同じ時間および同じ場所の撮影画像や音声を得ることができない。
【０００９】
この発明は、以上の点にかんがみ、自分が居た時間および場所と関係付けられた撮影画像や音声などの情報を、容易に得ることができるようにすることを目的とする。
【課題を解決するための手段】
【００１０】
上記の課題を解決するために、請求項１の発明は、
情報提供側装置と、携帯機器からなる情報要求側装置とからなり、
前記情報提供側装置は、
情報取り込み手段により情報を取り込んで格納する情報格納手段と、
前記情報要求側装置と直接的に無線通信を行なうための第１の無線通信手段と、
前記情報要求側装置が接近して、前記第１の無線通信手段により、前記情報要求側装置と無線接続が可能になったか否かを判別する第１の判別手段と、
前記第１の判別手段で、前記情報要求側装置と無線接続されたと判別されたときに、前記第１の無線通信手段を通じた前記情報要求側装置からの情報取得要求に基づき、前記情報要求側装置に、前記情報格納手段に格納された情報のうちの、少なくとも当該無線接続中に前記情報取り込み手段により取り込まれた情報を送信する手段と、
を備え、
前記情報要求側装置は、
前記情報提供側装置と直接的に無線通信を行なうための第２の無線通信手段と、
前記情報提供側装置が接近して、前記第２の無線通信手段により、前記情報提供側装置と無線接続が可能になったか否かを判別する第２の判別手段と、
前記第２の判別手段で、前記情報提供側装置と無線接続されたと判別されたときに、前記第２の無線通信手段を通じて前記情報要求側装置の情報取得要求を、前記情報提供側装置に送る手段と、
前記情報提供側装置から、前記情報取得要求に応じて送られてくる情報を取得する手段と、
を備えることを特徴とする情報取得システムを提供する。
【００１１】
この請求項１の情報取得システムにおいては、情報提供側装置と、情報要求側装置とが無線接続が可能な所定の距離まで接近すると、互いに無線接続の状態を判別する。この無線接続の状態は、情報提供側装置と、情報要求側装置とが同じ時間に同じ場所に居たことを保証する。
【００１２】
無線接続されたと判別した情報要求側装置は、情報取得要求を情報提供側装置に送る。情報取得要求を受信した情報提供側装置は、当該情報取得要求に基づき、前記情報要求側装置に、前記情報格納手段に格納された情報のうちの、少なくとも当該無線接続中に前記情報取り込み手段により取り込まれた情報を送信する。情報要求側装置は、当該情報提供側装置から送られてくる情報を取得する。
【００１３】
この請求項１の発明によれば、情報提供側装置と情報要求側装置とが近づくことにより、無線接続がなされ、情報要求側装置は、自己が送った情報取得要求に基づいて情報提供側装置から、少なくとも当該無線接続中に情報取り込み手段により取り込まれた情報を取得することができる。
【００１４】
したがって、情報要求側装置は、例えば、情報提供側装置の使用者の視点から撮影した画像や、自分が写っている画像などを取得することができる。このとき、情報要求者や情報提供者は、相互に相手が誰であるかを意識することはない。
【００１５】
また、請求項２の発明は、請求項１に記載の情報取得システムにおいて、
前記情報提供側装置は、携帯機器からなる
ことを特徴とする。
【００１６】
この請求項２の発明によれば、情報要求側装置と情報提供側装置とは、携帯機器で構成されているので、情報要求側装置は、任意の場所で、情報提供側装置と無線接続して、情報を取得することができる。
【００１７】
請求項３の発明は、請求項１に記載の情報取得システムにおいて、
前記情報提供側装置は、所定の位置に設置された装置により構成されることを特徴とする。
【００１８】
請求項３の発明によれば、情報提供側装置は、例えば観光名所やテーマパークなどに固定的に設置することができる。したがって、情報要求側装置は、例えば観光名所やテーマパークなどにおいて、例えば自分以外の視点から撮影された画像や、自分が写っている画像などを取得することができる。
【００１９】
また、請求項４の発明は、請求項１に記載の情報取得システムにおいて、
前記情報提供側装置の前記情報取り込み手段は撮像手段であり、前記情報取得要求の対象情報は、前記撮像手段で撮像された撮像画像情報である
ことを特徴とする。
【００２０】
この請求項４の発明によれば、情報要求側装置の使用者は、自分が居た場所および日時などの時間において、情報提供側装置の撮像手段により撮像された画像情報を取得することができる。この場合に、情報要求側装置には、撮像手段を設ける必要はない。つまり、情報要求側装置の使用者は、撮像手段がなくても、携帯型の情報要求側装置を持参するだけで、自分が体験している場所および日時などの時間における撮像画像を取得することが可能になる。
【００２１】
また、請求項５の発明は、請求項４に記載の情報取得システムにおいて、
前記情報提供側装置は、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データと、その他の撮像画像データとを区別する情報を前記撮像画像データに付加する手段と、
を備えることを特徴とする。
【００２２】
この請求項５の発明においては、情報提供側装置の撮像可能性判断手段は、撮像手段により、情報要求側装置の使用者を撮像可能かどうか判断し、撮像可能であると判断したときには、そのときに撮像手段により撮像して情報格納手段に格納する画像データに、その他の撮像画像データと区別する情報を付加するようにする。したがって、情報要求側装置の使用者は、当該付加された情報に基づいて、自分が写っている撮像画像情報のみを集めるようにすることができる。
【００２３】
また、請求項６の発明は、請求項４に記載の情報取得システムにおいて、
前記無線接続中の前記情報要求側装置の使用者を、前記撮像手段により撮像可能かどうかを判断する撮像可能性判断手段と、
前記撮像可能性判断手段で前記無線接続中の前記情報要求側装置の使用者を前記撮像手段により撮像可能であると判断したときの前記撮像画像データのみを、前記情報要求側装置に送信する手段と、
を備えることを特徴とする。
【００２４】
この請求項６の発明においては、情報提供側装置の撮像可能性判断手段は、撮像手段により、情報要求側装置の使用者を撮像可能かどうか判断し、撮像可能であると判断したときには、そのときに撮像手段により撮像して情報格納手段に格納する画像データを、情報要求側装置に送信するようにする。したがって、情報要求側装置の使用者は、自分が写っている撮像画像情報のみを取得することができる。
【００２５】
また、請求項７の発明は、請求項１に記載の情報取得システムにおいて、
前記情報提供側装置および前記情報要求側装置との間で無線接続されたときに、相互に情報提供および情報要求の方針、条件などに関するポリシー情報を交換し、齟齬がないと判別したときに、前記情報提供側装置は、前記情報要求側装置から情報取得要求を受け付けて、前記情報を前記情報要求側装置に送信する
ことを特徴とする。
【００２６】
この請求項７の発明においては、情報提供側装置には、例えば、撮像画像情報を情報提供する／情報提供しない、相手の写っている撮像画像のみを提供する／その他の撮像画像も提供する、などの情報提供側の方針や条件などに関するポリシー情報が用意され、また、情報要求側装置には、例えば、撮像画像情報の取得要求する／取得要求しない、自分が写っている撮像画像のみを要求／それ以外も要求などの方針や条件などに関するポリシー情報が用意される。
【００２７】
そして、この請求項７の発明においては、情報提供側装置および情報要求側装置との間で無線接続されたときには、相互にポリシー情報を交換し、撮像画像情報の提供意思と要求意思とが合致したとき、また、条件が合致など、齟齬がないかどうか判別するようにする。情報提供側装置は、齟齬はないと判別したときに、情報要求側装置からの情報取得要求を受け付けるようにする。
【００２８】
したがって、この請求項７の発明によれば、情報提供を拒否したい場合、情報要求の必要がない場合等、情報提供側装置の使用者の提供意思や条件および／または情報要求側装置の使用者情報要求意思や条件を尊重した撮像画像情報の取得システムの構築ができる。
【００２９】
また、請求項８の発明は、請求項７に記載の情報取得システムにおいて、
前記情報提供側装置および／または前記情報要求側装置は、前記ポリシー情報を変更する操作部を備える
ことを特徴とする。
【００３０】
この請求項８の発明によれば、操作部により、情報提供側装置の使用者の提供意思や条件および／または情報要求側装置の使用者情報要求意思や条件を、容易に変更することができる。
【００３１】
また、請求項９の発明は、請求項２に記載の情報取得システムにおいて、
前記情報要求側装置は、前記情報提供側装置と無線接続されているときに、情報取得要求していることを報知する手段を備える
ことを特徴とする。
【００３２】
この請求項９の発明においては、情報要求側装置は、例えばＬＥＤ（Ｌｉｇｈｔ  Ｅｍｉｔｔｉｎｇ  Ｄｉｏｄｅ；発光ダイオード）などからなる報知手段を用いて、情報取得要求していることを外部の者に報知するようにする。これにより、近くに居る携帯機器からなる情報提供側装置の使用者（情報提供者）に、撮影希望を伝達することができ、当該情報提供者に意図的に撮像協力を要請することが可能になる。
【００３３】
また、請求項１０の発明は、請求項２に記載の情報取得システムにおいて、
前記情報提供側装置は、前記情報要求側装置から前記情報取得要求を受信していることを報知する手段を備える
ことを特徴とする。
【００３４】
この請求項１０の発明においては、情報提供側装置では、情報要求側装置と無線接続されて、情報取得要求を受信すると、その旨が例えばＬＥＤやディスプレイ表示により報知される。したがって、請求項１０の発明によれば、情報提供側装置の使用者は、情報要求側装置から撮像画像情報の取得要求がされていることを知って、その要求に沿うようにするなど、協力することができるようになる。
【００３５】
また、請求項１１の発明は、請求項６に記載の情報取得システムにおいて、
前記情報提供側装置は、前記撮像可能性判断手段で前記無線接続中の前記情報要求側装置の使用者を前記撮像手段により撮像可能であると判断したときに、前記情報取得要求している前記情報要求側装置が存在することをユーザに報知する手段を備える
ことを特徴とする。
【００３６】
この請求項１１の発明においては、情報提供側装置では、情報要求側装置と無線接続されて、情報取得要求を受信しているときに、情報要求側装置の使用者が居る方向に撮像手段を向けたときに、情報取得要求している前記情報要求側装置が存在することが、ＬＥＤやディスプレイ表示により、情報提供側装置の使用者に報知される。これにより、情報提供側が、情報要求側の要求側に沿うようにするなどの協力が容易になる。
【発明の効果】
【００３７】
この発明によれば、情報要求側装置の使用者は、自分が居た場所および日時などの時間と同じ場所および時間に居た他人が所持していた情報提供側装置や、当該場所に設置されていたが情報提供側装置から、自分が居た場所および日時などの時間において取り込まれた情報を取得することができる。
【００３８】
したがって、情報取り込み手段が撮像手段であって、情報が撮像画像情報である場合には、自分以外の視点で撮像された画像情報が得られると共に、自分が写っている画像を取得することも可能である。
【００３９】
この場合に、情報提供側装置と情報要求側装置とが近づくことにより、無線接続がなされ、情報の取得が可能になるので、情報要求者や情報提供者は、相互に相手が誰であるかを意識することはない。
【発明を実施するための最良の形態】
【００４０】
以下、この発明による情報取得システムおよび情報取得方法並びに情報要求・提供装置、情報提供側装置、情報要求側装置の実施形態を、図を参照しながら説明する。
【００４１】
［第１の実施形態］
以下に説明する第１の実施形態は、情報提供側装置の機能と情報要求側装置の機能とが、一つの携帯機器に搭載されている情報要求・提供装置の場合である。そして、この第１の実施形態では、取得要求される対象の情報は、撮像情報（動画像および／または静止画像）である場合であって、情報要求・提供装置は、撮像記録装置として構成されている。
【００４２】
＜撮像記録装置（情報要求・提供装置）のハードウエア構成例＞
図１は、この第１の実施形態における情報要求・提供装置の例としての撮像記録装置１のブロック図である。
【００４３】
この撮像記録装置１は、ＣＰＵ（Ｃｅｎｔｒａｌ  Ｐｒｏｃｅｓｓｉｎｇ  Ｕｎｉｔ）１０１に対して、システムバス１０２を介して、ＲＯＭ（Ｒｅａｄ  Ｏｎｌｙ  Ｍｅｍｏｒｙ）１０３と、ＲＡＭ（Ｒａｎｄｏｍ  Ａｃｃｅｓｓ  Ｍｅｍｏｒｙ）１０４とが接続されたコンピュータを備える構成となっている。
【００４４】
そして、システムバス１０２に対して、撮像部コントローラ１０５と、撮像信号処理部１０６と、位置、方位検出処理部１０７と、撮影要求者撮影判別部１０８と、データ格納部コントローラ１０９と、再生処理部１１０と、計時部１１１と、表示部コントローラ１１２と、無線通信部コントローラ１１３と、キー入力インターフェース（図ではインターフェースはＩ／Ｆと記載する。以下同じ）１１４と、撮影要求報知部１１５とが接続されている。
【００４５】
撮像部コントローラ１０５は、ＲＯＭ１０３に格納されているプログラムにしたがったＣＰＵ１０１からの制御に基づいて、撮像部コントロール信号を撮像部１２１に供給する。
【００４６】
撮像部１２１は、レンズ系と、例えばＣＣＤ（Ｃｈａｒｇｅ  Ｃｏｕｐｌｅｄ  Ｄｅｖｉｃｅ）で構成される撮像素子とを備え、撮像部コントローラ１０５からの撮像部コントロール信号を受けて、撮像記録の開始、停止、ズーム倍率、露出値、オートフォーカスなどの制御がなされる。この例では、撮像部１２１は、シャッター機構を備えて、静止画像をも記録することができるように構成されている。
【００４７】
撮像部１２１からの撮像画像信号は、Ａ／Ｄ（Ａｎａｌｏｇ  ｔｏ  Ｄｉｇｉｔａｌ）変換器１２２によりデジタル信号に変換された後、撮像信号処理部１０６に供給される。撮像信号処理部１０６では、ＲＯＭ１０３に記憶されているプログラムに従ったＣＰＵ１０１からの制御指示命令により処理が実行されて、Ａ／Ｄ変換器１２２からの撮像画像信号が、動画像の場合には例えばＭＰＥＧ（Ｍｏｖｉｎｇ  Ｐｉｃｔｕｒｅ  Ｅｘｐｅｒｔｓ  Ｇｒｏｕｐ）方式により画像データ圧縮され、また、静止画像の場合には、例えばＪＰＥＧ（Ｊｏｉｎｔ  Ｐｈｏｔｏｇｒａｐｈｉｃ  Ｅｘｐｅｒｔｓ  Ｇｒｏｕｐ）方式により画像データ圧縮されると共に、適切な記録フォーマットに変換される。また、この例では、撮像信号処理部１０６では、計時部１１１からの時刻情報が用いられて、撮像画像データに撮像時刻の情報が付加される処理も行なわれる。
【００４８】
そして、撮像信号処理部１０６で適切な記録フォーマットに変換された、撮像時刻の情報や要求者撮影可能フラグを含む撮像画像データは、システムバス１０２を通じてデータ格納部コントローラ１０９に転送される。データ格納部コントローラ１０９は、受け取った撮像画像データを、データ格納部１２３に格納する。
【００４９】
データ格納部１２３は、この例では、ハードディスクドライブで構成され、例えば１日分以上の撮像データを格納する記憶容量を備えるものである。なお、データ格納部１２３は、ＤＶＤ（Ｄｉｇｉｔａｌ  Ｖｅｒｓａｔｉｌｅ  Ｄｉｓｃ）などの大容量記録形光ディスクや、半導体メモリなどを記憶媒体に用いる装置を用いるようにしても良い。
【００５０】
位置・方位検出処理部１０７は、撮像記録装置１の位置および方位を検出する。この場合に、この例では、検出する撮像記録装置１の方位は、撮像部１２１の光学系の光軸の方位とされている。つまり、位置・方位検出処理部１０７は、撮像部１２１の撮像方向が、どの方位であるかを検出するように構成されている。
【００５１】
この例においては、位置・方位検出処理部１０７には、撮像記録装置１の位置を検出するためのＧＰＳ（Ｇｌｏｂａｌ  Ｐｏｓｉｔｉｏｎｉｎｇ  Ｓｙｓｔｅｍ）受信機１２４と、撮像記録装置１の方位を検出するための電子コンパス１２５が接続されている。ＧＰＳ受信機１２４には、ジャイロが含まれていても良い。なお、電子コンパス１２５により検出される方位が直接的に撮像部１２１の光学系の光軸の方位を検出するのではなく、電子コンパス１２５により検出される方位と、撮像部１２１の光学系の光軸の方位とのオフセットを予め測定しておき、位置・方位検出処理部１０７で、電子コンパス１２５で検出された方位から、撮像部１２１の光学系の光軸の方位を検出するようにしてもよい。
【００５２】
位置・方位検出処理部１０７は、一定時間毎に、撮像記録装置１の存在位置および前記撮像方位を計測し、その計測結果をシステムバス１０２に送出する。ＣＰＵ１０１は、この計測結果の位置情報および方位情報を、ＲＯＭ１０３のプログラムにしたがってＲＡＭ１０４をワークエリアとして用いて、計時部１１１からの時間情報に関連付けた状態で、適切な記録フォーマットに変換し、データ格納部コントローラ１０９を通じてデータ格納部１２３に格納する。これにより、撮像記録装置１が、ある時間には、どの場所に在って、撮像部１２１がどの方向を撮像方向としているかを検知することができる。
【００５３】
なお、撮像記録装置１の位置情報および各位置情報に対応する時間情報は、撮像記録装置１が何時何処に居たかの証明になるので、簡単に改ざんされないように、暗号化されてデータ格納部１２３に格納するようにしても良い。
【００５４】
なお、位置・方位検出処理部１０７で検出された撮像記録装置１の位置情報および方位情報は、後述するように、撮影要求者撮影判別部１０８にも転送されて、撮影要求者の撮影可能性の判断にも使用される。
【００５５】
撮影要求者撮影判別部１０８は、他の撮像記録装置１と無線接続されていて、撮像情報の取得要求を当該他の撮像記録装置から受けているときに、当該他の撮像記録装置の使用者を、自己の撮像記録装置１の撮像部１２１で撮像可能かどうかを判別する。
【００５６】
後で詳述するように、この例では、撮影要求者撮影判別部１０８は、撮影要求者の撮像記録装置１から取得した当該撮像記録装置１の位置情報と、自己の撮像記録装置１の位置情報とから、撮影要求者が、自己の撮像記録装置１に対してどの方向にいるかを判別し、その方向と、位置・方位検出処理部１０７で検出された方位から検出された撮像部１２１の撮像方向とから、撮影要求者が、自己の撮像記録装置１の撮像部１２１で撮影できる可能性があるかどうかを判別する。
【００５７】
再生処理部１１０は、再生時に、データ格納部１２３からデータ格納部コントローラ１０９を通じて読み出された圧縮画像データの伸張デコード処理等を行って再生用の画像データを形成するものである。再生処理部１１０において処理された画像データは、表示部コントローラ１１２に送られ、表示部１２６の画面に、撮像画像が表示される。
【００５８】
なお、図１では、説明の簡単のため省略したが、撮像部１２１には、撮像中の周辺の音声を収音するマイクロホンが設けられている。そして、このマイクロホンからの音声信号がデジタル信号に変換され、所定の圧縮などを付与されて、適切な記録フォーマットに変換された後、対応する画像データおよび時間情報と対応付けられて、データ格納部１２３に格納される。そして、再生処理部１１０は、その音声データをも再生デコードする機能も有する。そして、再生デコードされた音声信号は、図示を省略したＤ／Ａ変換器によりアナログ音声信号に戻され、スピーカにより音響再生されるようにされている。
【００５９】
表示部コントローラ１１２は、表示部１２６に供給する表示用画像信号を形成し、これを表示部１２６に供給する。表示部１２６は、ＬＣＤ（Ｌｉｑｕｉｄ Ｃｒｙｓｔａｌ Ｄｉｓｐｌａｙ）などのディスプレイであり、表示部コントローラ１１２からの画像信号に応じた画像をその表示画面に表示する。
【００６０】
無線通信部コントローラ１１３は、これに接続される無線通信部１２７に対する通信データの送受を行なう。無線通信部１２７は、この例では、近距離無線通信が可能なもの、例えばＢｌｕｅｔｏｏｔｈ規格の電波による無線通信手段が用いられる。したがって、他の撮像記録装置１が接近して、両者の距離が、無線通信部１２７の通信可能距離範囲内になると、当該他の撮像記録装置１と自動的に無線接続されて、無線通信が可能となる。
【００６１】
なお、無線通信部１２７としては、この例のような電波を用いるものに限定されるものではなく、赤外線や光を用いたものであってもよい。
【００６２】
キー入力インターフェース１１４には、キー入力操作部１２８が接続される。キー入力操作部１２８は、撮像記録開始キー、再生開始キー、早送りキー、巻戻しキー、ジャンプキー、停止キー、カーソル移動キーなどのキーの他に、後述するポリシー変更キーを備える。キー入力操作部１２８のいずれかのキーが操作されると、キー入力インターフェース１１４を通じてその操作入力情報がシステムバス１０２に供給される。ＣＰＵ１０１は、この操作入力情報を判別して、どのキーが操作されたかを判別し、その操作されたキーに対応する処理を実行する。
【００６３】
この実施形態においては、撮像記録装置１には、情報提供意思や情報提供条件、また、情報要求意思や情報要求条件などに関するポリシー情報が、キー入力操作部１２８が用いられて、使用者により設定される。
【００６４】
設定されるポリシー情報としては、次のようなものが挙げられる。  
（Ａ）他の撮像記録装置との無線接続に関し、自動接続するか、あるいは手動接続するか。なお、手動接続が設定された場合には、通常は無線接続しないと設定され、ポリシー変更キーの操作により無線接続するに即座に変更することができる。また、通常、無線接続すると設定されている場合に、ポリシー変更キーを操作することにより、無線接続しないに変更することができる。
【００６５】
（Ｂ）他の撮像記録装置と自動で無線接続すると設定した場合に、
（Ｂ−１）撮像情報の取得要求をするかどうか
（Ｂ−１−１）撮像情報取得要求する場合には、自分の写っている撮像画像のみを要求するか、自分の写っている撮像画像以外も含んで要求するか
（Ｂ−２）撮像情報の提供をするかどうか
（Ｂ−３）撮像時の音声情報の提供をするかどうか。
【００６６】
（Ｃ）要求された撮像情報の送信時に関し、
（Ｃ−１）要求のあった撮像情報の送信を、自動で行なうか、あるいは手動で行なうか。なお、手動の設定された場合には、送信する撮像情報のチェックを行なうことができる。
【００６７】
（Ｄ）撮像情報等を自動で送信する場合の送信ポリシーに関し、
（Ｄ−１）撮像情報を交換するのであれば撮像情報の送信を可とする
（Ｄ−２）撮像情報の提供だけでも撮像情報の送信を可とする
（Ｄ−３）オープン（自由に撮像情報の送信を可とする）
（Ｄ−４）撮像情報のみ、あるいは音声情報を含んで送信可とする。
【００６８】
なお、前述したキー操作入力部１２８に設けられたポリシー変更キーは、設定された上述のポリシー情報に関係なく、情報提供する／情報提供しない、また、撮像情報取得要求する／要求しない、を瞬時に変更することができるキーである。
【００６９】
撮像要求報知部１１５は、当該撮像記録装置１が、他の撮像記録装置１と無線接続されていて、かつ、当該撮像記録装置１から前記他の撮像記録装置１に撮像情報の取得要求をしているときに、当該撮像記録装置１が撮像情報の取得要求を他の撮像記録装置１の使用者等に報知するためのものである。この撮像要求報知部１１５は、例えば撮像記録装置１の外部筐体の、他人からも見える位置に設けられたＬＥＤと、当該ＬＥＤを点滅表示させるＬＥＤ駆動手段とにより構成することができる。また、撮像要求していることを、所定の電子音などの音により報知する手段を用いても良い。
【００７０】
なお、図１では省略したが、撮像部１２１にマイクロホンが取り付けられており、撮像時に、被写体周辺の音声がこのマイクロホンにより収音され、Ａ／Ｄ変換され、また必要に応じてデータ圧縮されて、撮像画像データと共にデータ格納部１２３に格納されて、記録される。
【００７１】
＜撮影要求者撮影判別部１０８の説明＞
前述したように、この実施形態においては、撮影要求者撮影判別部１０８は、ＧＰＳ受信機１２４を用いて測定された位置情報と、無線接続中の撮像画像情報の取得要求を送ってきている他の撮像記録装置１から取得した当該他の撮像記録装置の位置情報と、電子コンパス１２５により検出された自己の撮像記録装置１の方位情報とから、自己の撮像記録装置１の撮像部１２１により、当該他の撮像記録装置の使用者が、撮影可能となっているかどうかを判別する。この判別方法について、以下にさらに説明する。
【００７２】
２台の撮像記録装置のそれぞれの位置がわかると、一方の撮像記録装置に対する他方の撮像記録装置の方向は検出することができる。そして、電子コンパス１２５により、撮像要求されている方の撮像記録装置１の撮像部１２１の撮像方向と、当該撮像部１２１の撮影可能な画角が判れば、撮像要求している方の撮像記録装置の使用者が、その画角内の方向に居るか否かにより、当該自己の撮像記録装置１により撮影可能であるかどうかを判別することができる。
【００７３】
例えば、図２に示すように、撮影者Ｍが所持する撮像記録装置１Ｍの撮像部１２１の画角がθであって、当該撮像部１２１の光学系の光軸方向が矢印の方向Ｌ０（撮像方向）であった場合を考える。
【００７４】
撮像記録装置１Ｍに対して撮像要求をしている、撮像記録装置１Ａ、１Ｂを所持する撮影要求者Ａ、Ｂの位置が、図２の位置であれば、撮像記録装置１Ａ、１Ｂの位置情報がわかれば、撮像記録装置１Ｍでは、撮像記録装置１Ｍに対する撮像記録装置１Ａ、１Ｂの方向Ｌ１、Ｌ２が検出できる。したがって、接続像記録装置１Ｍは、その検出した方向Ｌ１、Ｌ２が、撮像部１２１の撮像方向Ｌ０を中心とした画角θの範囲にあるか否かにより、撮影要求者が撮像部１２１で撮像可能であるか否かを判別することができる。
【００７５】
ちなみに、図２の例においては、撮影要求者Ａは、撮影される可能性があるが、撮影要求者Ｂは、撮影される可能性はない。なお、図２の例においては、撮像記録装置１Ｃを所持する使用者Ｃの方向は、撮像部１２１の撮像方向Ｌ０を中心とした画角θの範囲にあるが、当該撮像記録装置１Ｃは、撮像記録装置１Ｍとは無線接続することができない距離だけ離れた位置にあるので、撮像記録装置１Ｍでは、使用者Ｃを撮影要求者として撮影可能性の判断をする対象とはならない。
【００７６】
ところで、２台の撮像記録装置の間の距離が大きい場合には、一方の撮像記録装置に対して他方の撮像記録装置の方向の検出において、それぞれの撮像記録装置の検出位置精度は、低くてよい。しかしながら、この例においては、無線接続されている２台の撮像記録装置は、接近した状態であり、それぞれの撮像記録装置においては、精度の高い位置測定が必要になる。
【００７７】
一方、単独のＧＰＳ受信機１２４の位置精度は、限られた精度となっている。このため、単純には、ＧＰＳ受信機１２４の位置情報のみを用いて、撮影要求者の撮影可能性を判別したのでは、誤検出が多くなってしまうおそれがある。このことにかんがみ、この実施形態では、以下のようにして、撮影要求者の撮影可能性の判別精度を上げるようにしている。
【００７８】
２台のＧＰＳ受信機において、測位に使用している複数個の人工衛星が同じものである場合には、その位置測定の結果として検出された位置情報は、２台のＧＰＳ受信機の相対位置に関しては、ＤＧＰＳ（Ｄｉｆｆｅｒｅｎｃｉａｌ  ＧＰＳ）方式における位置測定と同様に、非常に精度の良いものとすることができる。
【００７９】
そこで、この実施形態では、無線通信の相手である他の撮像記録装置１から測位に使用している複数個のＧＰＳ衛星の情報を受け取り、自己の撮像記録装置１で測位に使用している複数個のＧＰＳ衛星と比較し、同じ複数個のＧＰＳ衛星を使用していると判別したときには、撮影要求者の撮影可能性の判別を行い、また、同じではないと判別したときには、撮影要求者の撮影可能性の判別は不可であるとする。これにより、この実施形態では、撮影要求者の撮影可能性の判別精度を上げられる。
【００８０】
＜第１の実施形態における情報取得処理動作の概要＞
図３を参照しながら、この実施形態による撮像記録装置１を用いた情報取得処理動作の概要を説明する。
【００８１】
図３に示すように、上述の構成を備える撮像記録装置１をそれぞれ所持する使用者２ａ，２ｂ，２ｃが互いに近づいた場合、それぞれの撮像記録装置１（使用者２ａ，２ｂ，２ｃが所持する撮像記録装置１を、以下、撮像記録装置１ａ，１ｂ，１ｃとする）は、ポリシー情報が「自動で無線接続する」状態に設定されている場合には、互いに自動的に無線接続する状態になる。
【００８２】
この場合に、例えば、各撮像記録装置１は、無線通信部１２７は、送信元を示す情報として、例えば自己の識別情報を含むと共に、送信先を示す情報として、不特定の相手である旨を示す情報とを含む無線接続要求の制御情報を、例えば間欠的に送出する。そして、各撮像記録装置１は、間欠的な送信区間と送信区間の間を、他の撮像記録装置１から送出される前記無線接続要求の制御情報の受信監視区間とする。
【００８３】
そして、各撮像記録装置１は、他の撮像記録装置１から送出される前記無線接続要求の制御情報を受信すると、例えば自己の識別情報を送信元とし、受信した相手の識別情報を送信先として、受信応答を返すようにする。以上のようにして、無線接続要求の相互の送受が確認されて、２台の撮像記録装置１は、無線接続される。
【００８４】
無線接続がなされると、２台の撮像記録装置の間において、ポリシー情報の交換を行い、情報提供側としてのポリシー情報と情報要求側のポリシー情報との間のポリシー情報に齟齬がなければ、情報提供のための処理および情報要求のための処理を行なう。
【００８５】
そして、各撮像記録装置１は、情報要求側装置としての処理として、無線接続されている相手の撮像記録装置１に対して自己の撮像記録装置１の識別情報を含む情報取得要求を送ると共に、この情報取得要求に対して相手の撮像記録装置１から送られてくる撮像情報等を受信して、データ格納部１２３に格納する処理を行なう。
【００８６】
また、各撮像記録装置１は、情報提供側装置としての処理として、無線接続されている、相手の撮像記録装置１からの情報取得要求を受け取り、当該無線接続中に撮像部１２１により撮像されて、データ格納部１２３に格納される撮像画像情報を、前記相手の撮像記録装置1に送信するようにする。
【００８７】
なお、この無線接続時に、相手撮像記録装置からの撮像情報取得要求のポリシー情報に、自分が写っている撮像画像のみを要求するという限定がなされているときには、当該要求を受け取った撮像記録装置１では、前述したように、撮影要求者撮影判別部１０８で撮影要求者の撮影可能性の判別を行い、撮影可能性があると判別した撮像画像データのみを、撮像情報の取得要求をした撮像記録装置に送信するようにする。
【００８８】
なお、撮影可能性があると判別した撮像画像データのみを、撮像情報の取得要求をした撮像記録装置に送信するようにするのではなく、撮影要求者撮影判別部１０８で撮影要求者の撮影可能性があると判別した撮像画像データに、そのことを示す要求者撮影可能フラグを付加して、撮像情報の取得要求をした撮像記録装置に送信するようにするようにしてもよい。
【００８９】
この場合には、要求者撮影可能フラグが付加された撮像画像データを受信して、データ格納部１２３に格納した撮像記録装置では、その撮像画像データによる画像の再生時に、要求者撮像可能フラグに基づいて、当該フラグが付加された撮像画像データに基づく画像に、そのことをユーザに識別させるマークを重畳表示するなどして、どの画像に自分が写っているかを識別することができるようにすることができる。
【００９０】
また、データ格納部１２３に格納された撮像画像データから、自分が写っている画像のみを抽出したいときには、要求者撮像可能フラグに基づいて、容易に抽出することが可能である。
【００９１】
なお、各撮像記録装置は、無線通信部１２７として、複数の無線通信チャンネルを同時に接続することができるものを用いるとともに、例えば時分割処理により複数の相手撮像記録装置と無線通信して、ポリシー情報や識別情報、その他の必要な情報のやり取りをするようにして、３台以上の撮像記録装置が、互いに無線通信して、情報の授受をおこなうようにすることができる。
【００９２】
＜撮像記録装置同士の無線接続時の処理動作＞
次に、撮像記録装置１における、上述の処理動作をフローチャートを参照しながら、さらに詳細に説明する。
【００９３】
図４〜図６は、撮像記録装置１が、他の撮像記録装置と無線接続する場合の処理動作を説明するためのフローチャートである。なお、この例は、他の撮像記録装置との無線接続に関するポリシー情報が、自動接続すると設定されている場合である。この図４〜図６における各ステップの処理は、ＣＰＵ１０１がＲＯＭ１０３のプログラムにしたがって、ＲＡＭ１０４をワークエリアとして用いて実行する。
【００９４】
図４に示すように、ＣＰＵ１０１は、他の撮像記録装置の接近および無線接続を監視し（ステップＳ１）、無線接続がなされたか否か判別し（ステップＳ２）、無線接続がなされていなければ、ステップＳ１に戻って、前記監視を続ける。
【００９５】
ステップＳ２で、他の撮像記録装置と無線接続されたと判別したときには、ＣＰＵ１０１は、当該他の撮像記録装置とポリシー情報の交換を行う（ステップＳ３）。そして、互いのポリシー情報の齟齬が生じていないかどうか、また、ポリシー情報で定められる条件に齟齬が生じていないかどうか判別する（ステップＳ４）。例えば、自己の撮像記録装置は、「情報要求する」としているのに対して、他の撮像記録装置は「情報提供しない」とされていないかどうか、あるいは、逆に自己の撮像記録装置は、「情報要求しない」としているのに対して、他の撮像記録装置は「情報提供する」とされていないかどうか、などを判別する。
【００９６】
ステップＳ４で、ポリシー情報に齟齬があったと判別したときには、ＣＰＵ１０１は、表示部コントローラ１１２を介して表示部１２６に、齟齬を生じている相手のポリシーを表示する（ステップＳ５）。これは、例えば、自己の撮像記録装置は、「情報要求しない」としているのに対して、他の撮像記録装置は「情報提供する」とされているときに、キー入力操作部１２８に含まれているポリシー変更キーにより、「情報要求する」に変更することができるようにするためである。
【００９７】
次に、ステップＳ５における相手ポリシーの表示に対応して、その表示から一定時間以内に、ポリシー変更キーが操作されたか否か判別する（ステップＳ６）。前記一定時間以内にはポリシー変更キーが操作されなかったと判別したときには、ステップＳ１に戻る。また、ステップＳ６で、前記一定時間以内にポリシー変更キーが操作されたと判別されたときには、ＣＰＵ１０１は、ステップＳ４に戻り、ポリシー情報により情報提供、情報要求との間で齟齬がなく条件成立したかどうか判別する。
【００９８】
ステップＳ４で、無線接続している他の撮像記録装置との間で、ポリシー情報により情報提供、情報要求との間で齟齬がなく条件成立したと判別したときには、ＣＰＵ１０１は、自己の撮像記録装置は撮像画像の要求をすると設定されているか否か判別する（ステップＳ７）。
【００９９】
ステップＳ７で、自己の撮像記録装置は撮像画像の要求をすると設定されていると判別したときには、ＣＰＵ１０１は、撮像要求報知部１１６により、自己の撮像記録装置の使用者が撮影してもらいたいという要求をしていることを、他の撮像記録装置の使用者が識別することができるように報知する。例えば、前述したように、撮像記録装置１の筐体の外側に設けられたＬＥＤを点灯あるいは点滅させて、被撮影要求をしていることを報知する（ステップＳ８）。
【０１００】
この場合のＬＥＤの点灯制御の方法としては、次のような方法が挙げられる。その一つは、接近している人がいなくても、被撮影要求を送出している間は、ずっとＬＥＤを点灯する方法である。この場合には、被撮影要求をユーザが取り下げれば、ＬＥＤを消灯する。二つ目は、接近した撮像記録装置が１台でもあれば、ＬＥＤを点灯する方法である。この場合には、接近している撮像記録装置がすべてなくなったときに、ＬＥＤを消灯するようにする。
【０１０１】
次に、ＣＰＵ１０１は、自己の撮像記録装置の識別情報と、自分の写っている撮像画像の要求などに関する、ポリシー情報の一部とを伴った情報取得要求を、相手の他の撮像記録装置に送る（ステップＳ９）。
【０１０２】
この情報取得要求に対しては、相手の他の撮像記録装置からは、その識別情報と、当該他の撮像記録装置のポリシー情報の一部とを伴う情報取得要求に対する応答情報を送ってくる。
【０１０３】
そこで、ＣＰＵ１０１は、当該他の撮像記録装置からの識別情報と、ポリシー情報の一部とを受け取り、それらと、無線接続を開始した現在時間などの時間情報とを、データ格納部１２３に格納する（ステップＳ１０）。
【０１０４】
次に、ＣＰＵ１０１は、前記他の撮像記録装置と無線接続中であることを確認するためのセッション情報を生成して、バッファメモリとしてのＲＡＭ１０４に記憶する（ステップＳ１１）。このセッション情報は、例えば無線接続中の２台の撮像記録装置の識別情報と、前記無線接続の開始時刻とから生成した数値情報により構成することができる。無線接続の開始時刻を、セッション情報の生成に使用するのは、同じ撮像記録装置と、複数回、無線接続することがあるので、それぞれの回の無線接続を区別するためである。このため、時間情報の代わりに、回数を用いてセッション情報を生成するようにしてもよい。
【０１０５】
次に、ＣＰＵ１０１は、情報取得要求についてのポリシー情報が、自分が写っている撮像画像のみを要求（以下、本人限定要求という）しているかどうか判別し（ステップＳ１２）、本人限定要求をしていると判別した時には、ＣＰＵ１０１は、前述の撮影要求者撮影判別で説明したように、自己の撮像記録装置１のＧＰＳ受信機１２４で使用中のＧＰＳ衛星の情報と、当該ＧＰＳ受信機１２４で測定した位置情報とを、他の撮像記録装置に送る（ステップＳ１３）。
【０１０６】
次に、相手の撮像記録装置から撮像画像データや音声データが送られてくることを示す受信フラグを立てて、受信準備を行なう（ステップＳ１４）。ステップＳ１２で、本人限定要求がないと判別したときには、ステップＳ１２をバイパスして、ステップＳ１４に進む。
【０１０７】
次に、ポリシー情報に基づき撮像画像情報の提供をすると設定されているかどうかを判別する（図５のステップＳ２１）。また、ステップＳ７で、撮像画像の要求をしてはいないと判別したときにも、このステップＳ２１にジャンプして、ポリシー情報に基づき撮像画像情報の提供をすると設定されているかどうかを判別する。
【０１０８】
ステップＳ２１で、撮像画像情報の提供をすると設定されていると判別したときには、自己の撮像記録装置の識別情報と、当該自己の撮像記録装置のポリシー情報の一部を、他の撮像記録装置に送る（ステップＳ２２）。
【０１０９】
なお、ステップＳ２１で、撮像画像情報の提供をすると判別したときに、情報取得要求をしている他の撮像記録装置があるときには、当該情報取得要求している他の撮像記録装置があることを、例えば表示部１２６や、撮像部１２１のファインダーなどに表示して、撮像記録装置１の使用者に報知するようにすることもできる。この報知により、情報要求側装置における撮像要求報知と相俟って、当該撮像記録装置１の使用者は、撮像情報取得要求者の要求に沿うように協力することが可能になる。
【０１１０】
次に、ＣＰＵ１０１は、当該他の撮像記録装置からの識別情報と、ポリシー情報の一部とを含む情報取得要求を受け取り、一時保存する（ステップＳ２３）。
【０１１１】
次に、ＣＰＵ１０１は、前記他の撮像記録装置と無線接続中であることを確認するためのセッション情報を生成して、バッファメモリとしてのＲＡＭ１０４に記憶する（ステップＳ２４）。このステップＳ２４は、セッション情報が、ステップＳ１０で既に生成されている場合には、省略される。
【０１１２】
次に、ＣＰＵ１０１は、相手の他の撮像記録装置からの情報取得要求についてのポリシー情報が、本人限定要求しているかどうか判別し（ステップＳ２５）、本人限定要求をしてはいないと判別したときには、送信フラグを立てて、撮像部１２１で撮像した画像データと、ポリシー情報で音声データを一緒に送ると設定されている場合には、当該撮像時の音声データとを、相手の撮像記録装置に送信する準備を行なう（ステップＳ２６）。
【０１１３】
次に、ＣＰＵ１０１は、相手の他の撮像記録装置との無線接続が継続しているか否か判別する（ステップＳ２７）。ステップＳ２１で、自己の撮像記録装置が画像提供しないとポリシー情報により設定されていたと判別したときにも、このステップＳ２７にジャンプして、相手の他の撮像記録装置との無線接続が継続しているか否か判別する。
【０１１４】
ステップＳ２７で、相手の他の撮像記録装置との無線接続が継続していると判別したときには、ＣＰＵ１０１は、受信フラグと送信フラグとを調べ、受信フラグが立っていて、受信データがあることを検知したときには、当該受信データの受信処理を行ない、また、送信フラグが立っているときには、送信できる画像データ等の送信処理を行なう（ステップＳ２８）。このときの受信処理においては、ＣＰＵ１０１は、受信した撮像画像データ等に対応する時間情報を含めてデータ格納部１２３に格納する。
【０１１５】
次に、ＣＰＵ１０１は、相手の他の撮像記録装置との間でセッション情報を交換し、セッション情報がやり取りをできるかチェックする（ステップＳ２９）。そして、ステップＳ２７に戻る。無線接続中は、セッション情報のやり取りが可能であり、セッション情報のやり取りができなくなったときには、相手の他の撮像記録装置と自己の撮像記録装置とが離間して、無線接続が不可となったことが判る。
【０１１６】
ステップＳ２７で、無線接続ができなくなったと判別したときには、ＣＰＵ１０１は、受信フラグおよび送信フラグをリセットすると共に、当該無線接続ができなくなった時刻を、今回の無線接続の終了時刻として、ステップＳ２８で格納した受信した撮像画像データ等に対応する時間情報に含めて格納する（ステップＳ３０）。なお、情報提供履歴を残すようにする場合には、このステップＳ３０において、ステップＳ２３で一時記憶した相手の撮像記録装置の識別情報および無線接続の開始時刻に加えて、前記無線接続の終了時刻を、データ格納部１２３に格納するようにする。
【０１１７】
なお、ステップＳ１での無線接続の監視を行なう無線接続部の他に、この無線通信部よりは遠距離まで通信を可能とする、データのやり取りをする無線通信部を備えるようにすることもできるが、その場合には、ステップＳ３０において、無線接続部により接続が切れた場合でも、送信データが残っている場合には、送信を行ない、受信データが残っている場合には、受信処理を行なうことができる。
【０１１８】
そして、ＣＰＵ１０１は、この処理ルーチンを終了する。
【０１１９】
次に、ステップＳ２５で、本人限定要求があると判別したときには、ＣＰＵ１０１は、情報取得要求してきた他の撮像記録装置から使用中のＧＰＳ衛星のリストを受信し（図６のステップＳ３１）、使用中のＧＰＳ衛星は、自己の撮像記録装置と相手の撮像記録装置とで同じであるか否か判別する（ステップＳ３２）。
【０１２０】
ステップＳ３２で、使用中のＧＰＳ衛星は、自己の撮像記録装置と相手の撮像記録装置とで同じではないと判別したときには、ＣＰＵ１０１は、本人限定要求には応えることができないので、ステップＳ２７に進む。
【０１２１】
ステップＳ３２で、使用中のＧＰＳ衛星は、自己の撮像記録装置と相手の撮像記録装置とで同じであると判別したときには、ＣＰＵ１０１は、相手の他の撮像記録装置から、位置情報を受信し（ステップＳ３３）、相手の他の撮像記録装置との無線接続が継続しているか否か判別する（ステップＳ３４）。ステップＳ３４で、無線接続ができなくなったと判別したときには、ステップＳ２９に進む。
【０１２２】
ステップＳ３４で、相手の他の撮像記録装置との無線接続が継続していると判別したときには、ＣＰＵ１０１は、受信フラグが立っているかどうかを調べて、受信データがあれば、受信処理を行なう（ステップＳ３５）。
【０１２３】
次に、ＣＰＵ１０１は、自己の撮像記録装置のＧＰＳ受信機１２４で測定した位置情報と、相手の他の撮像記録装置から受信した位置情報とから、自己の撮像記録装置に対する他の撮像記録装置の方向を算出する（ステップＳ３６）。
【０１２４】
次に、ＣＰＵ１０１は、電子コンパス１２５で算出した方向と、画角と、ステップＳ３６で算出した自己の撮像記録装置に対する他の撮像記録装置の方向とから、他の撮像記録装置の使用者が、撮像部１２１で撮像可能であるかどうか算出する（ステップＳ３７）。そして、ＣＰＵ１０１は、他の撮像記録装置の使用者が、撮像部１２１で撮像可能であるか否か判別し（ステップＳ３８）、撮像可能ではないと判別したときには、相手の撮像記録装置には撮像画像データ等は送信せず、ステップＳ３３に戻る。
【０１２５】
また、ステップＳ３８で、撮像可能であると判別したときには、ＣＰＵ１０１は、撮像画像データ等を、相手の撮像記録装置に送信する（ステップＳ３９）。
【０１２６】
そして、ＣＰＵ１０１は、撮像情報の取得要求をしている他の撮像記録装置の使用者を、当該撮像記録装置１の撮像部１２１で撮像可能であることを、例えば、表示部１２６や撮像部１２１のビューファインダーにメッセージ表示して、要求者撮影可能報知を、当該撮像記録装置１の使用者に対して行なう（ステップＳ４０）。その後、ステップＳ３３に戻る。
【０１２７】
なお、上述の説明においては、撮像記録装置は、情報要求・提供装置の構成であったが、無線接続される携帯装置の一方が情報提供側装置の構成のみを備え、他方が情報要求側装置の構成を備えるようにしても良い。
【０１２８】
＜第２の実施形態＞
第１の実施形態では、撮像記録装置１同士で、情報提供意思、情報要求意思のやり取りを行なって、情報の授受を行なうようにしたが、相互の情報の授受ではなく、一方は情報提供のみを行なうようにする装置とすることもできる。第２の実施形態は、そのような場合にこの発明を適用した例である。
【０１２９】
図７は、この第２の実施形態の場合の情報取得システムの概要を示す図である。この例においては、例えば、観光名所や、テーマパーク、イベント会場などにおいて、予め定めた固定位置に、上述した撮像記録装置１と同様の構成の固定局装置５を設置する。この固定局装置５は、それぞれ撮像部５２１を備える。この例では、撮像部５２１は、予め定めた固定方向に向けられ、その方向おいて、当該撮像部５２１の画角の範囲の撮像が可能なように設置されている。
【０１３０】
そして、固定局装置５は、例えば有線あるいは無線のＬＡＮ（Ｌｏｃａｌ  Ａｒｅａ  Ｎｅｔｗｏｒｋ）からなるネットワークを通じて管理センター装置６に接続されている。
【０１３１】
この第２の実施形態では、固定局装置５は、情報提供側装置を構成し、撮像記録装置１は、情報要求側装置を構成する。
【０１３２】
この第２の実施形態においては、前述した撮像記録装置１を携帯した使用者２が固定局装置５に近づくと、前述したようにして、固定局装置５と撮像記録装置１との間で無線接続がなされる。そして、固定局装置５と無線接続がなされると、撮像記録装置１は、撮像情報の取得要求を、固定局装置５に送る。
【０１３３】
一方、固定局装置５は、この撮像記録装置１からの情報取得要求を受け取って、前述の第１の実施形態の場合と同様にして、前記撮像記録装置１に撮像画像データや音声データを送信する。撮像記録装置１は、この撮像画像データや音声データを受信して、データ格納部１２３に格納するようにする。
【０１３４】
このとき、前述の実施形態と同様に、撮像記録装置１は、本人限定要求などの条件情報（ポリシー情報）を送ることもできる。なお、この第２の実施形態では、固定局装置５では、撮像画像の提供を前提とするので、情報の提供が可能であるかどうかについてのポリシー情報の交換は必要ない場合もある。
【０１３５】
＜固定局装置のハードウエア構成例＞
図８は、この第２の実施形態における固定局装置５のブロック図である。この例の固定局装置５は、前述した撮像記録装置１の構成のうちの、情報要求側装置としての機能は有しない。
【０１３６】
図８に示すように、固定局装置５は、ＣＰＵ５０１に対して、システムバス５０２を介して、ＲＯＭ５０３と、ＲＡＭ５０４とが接続されたコンピュータを備える構成となっている。
【０１３７】
そして、システムバス５０２に対して、撮像部コントローラ５０５と、撮像信号処理部５０６と、位置・方位情報記憶部５０７と、撮影要求者撮影判別部５０８と、データ格納部コントローラ５０９と、計時部５１１と、無線通信部コントローラ５１３と、キー入力インターフェース５１４と、ネットワークインターフェース５１５とが接続されている。
【０１３８】
撮像部コントローラ５０５は、ＲＯＭ５０３に格納されているプログラムにしたがったＣＰＵ５０１からの制御に基づいて、撮像部コントロール信号を撮像部５２１に供給する。撮像部５２１は、撮像部１２１と同様の構成を備え、この撮像部５２１からの撮像画像信号は、Ａ／Ｄ変換器５２２によりデジタル信号に変換された後、撮像信号処理部５０６に供給される。撮像信号処理部５０６では、ＲＯＭ５０３に記憶されているプログラムに従ったＣＰＵ５０１からの制御指示命令により処理が実行されて、Ａ／Ｄ変換器５２２からの撮像画像信号が、動画像の場合には例えばＭＰＥＧ方式により画像データ圧縮され、また、静止画像の場合には、例えばＪＰＥＧ方式により画像データ圧縮されると共に、適切な記録フォーマットに変換される。また、この例では、撮像信号処理部５０６では、計時部５１１からの時刻情報が用いられて、撮像画像データに撮像時刻の情報が付加される処理も行なわれる。
【０１３９】
位置・方位検出処理部５０７は、前述の例と同様に、一定時間毎に、固定局装置５の存在位置および撮像方位を計測し、その計測結果をシステムバス５０２に送出する。ＣＰＵ５０１は、この計測結果の位置情報および方位情報を、ＲＯＭ５０３のプログラムにしたがってＲＡＭ５０４をワークエリアとして用いて、計時部５１１からの時間情報に関連付けた状態で、適切な記録フォーマットに変換し、データ格納部コントローラ５０９を通じてデータ格納部５２３に格納する。これは、前述の例と同様にして、撮像記録装置１の使用者が、その撮像範囲に入ったかどうかを検出するために用いるものである。
【０１４０】
したがって、位置・方位検出処理部５０７で検出された固定局装置５の位置情報および方位情報は、撮影要求者撮影判別部５０８にも転送されて、撮影要求者の撮影可能性の判断にも使用される。
【０１４１】
また、撮影要求者撮影判別部５０８においては、前述したように、撮像情報の取得要求をしてきた相手方の撮像記録装置１の使用者が、当該固定局装置５の撮像部５２１により撮像されている可能性があるか否かを判断して、その判断結果をシステムバス５０２に出力するが、撮像信号処理部５０６では、前記判断結果が、撮像されている可能性有りのときには、要求者撮影可能フラグを、その撮影可能性があると判断されている期間、撮像データに付加するようにする処理も行なう。
【０１４２】
そして、撮像信号処理部５０６で適切な記録フォーマットに変換された、撮像時刻の情報や要求者撮影可能フラグを含む撮像画像データは、システムバス５０２を通じてデータ格納部コントローラ５０９に転送される。データ格納部コントローラ５０９は、受け取った撮像画像データを、前述のデータ格納部１２３と同様の構成のデータ格納部５２３に格納する。
【０１４３】
撮影要求者撮影判別部５０８は、撮像記録装置１と無線接続されていて、撮像情報の取得要求を当該撮像記録装置１から受けているときに、当該撮像記録装置の使用者を、撮像部５２１で撮像可能かどうかを判別するもので、前述の第１の実施形態の撮影要求者撮影判別部１０８と同様に、撮影要求者の撮像記録装置１から取得した当該撮像記録装置１の位置情報と、固定局装置５の位置情報とから、撮影要求者が、固定局装置５に対してどの方向にいるかを判別し、その方向と、撮像部５２１の撮像方向を示す方位情報とから、固定局装置５の撮像部５２１が撮影要求者を撮影できる可能性があるかどうかを判別する。
【０１４４】
無線通信部コントローラ５１３は、これに接続される無線通信部５２７に対する通信データの送受を行なう。無線通信部５２７は、この例においても、近距離無線通信が可能なもの、例えばＢｌｕｅｔｏｏｔｈ規格の電波による無線通信手段が用いられる。したがって、撮像記録装置１が接近して、両者の距離が、無線通信部５２７の通信可能距離範囲内になると、当該撮像記録装置１と自動的に無線接続されて、無線通信が可能となる。
【０１４５】
なお、無線通信部５２７としては、この例のような電波を用いるものに限定されるものではなく、赤外線や光を用いたものであってもよい。
【０１４６】
キー入力インターフェース５１４には、キー入力操作部５２８が接続される。キー入力操作部５２８は、種々の設定情報を入力するため等のキーを備える。
【０１４７】
ネットワークインターフェース５１５は、管理センター装置６に接続するためのものである。
【０１４８】
なお、撮像記録装置１は、第１の実施形態の場合と同様の構成とされている。ただし、この第２の実施形態においては、撮像記録装置１は、撮像画像データ等の情報提供の機能は不要であり、その機能を削除しても良い。しかし、撮像記録装置１が、固定局装置５のみではなく、第１の実施形態のように、他の撮像記録装置１と無線接続して、上述した第１の実施形態の動作を行なうようにする場合には、撮像記録装置１は、第１の実施形態と全く同一の構成を備えることは言うまでもない。
【０１４９】
＜固定局装置５と、撮像記録装置１との無線接続時の処理動作＞
図９は、撮像記録装置１が、固定局装置５と無線接続する場合の処理動作を説明するためのフローチャートである。
【０１５０】
図９に示すように、ＣＰＵ１０１は、固定局装置５に対する接近による無線接続を監視し（ステップＳ４１）、無線接続がなされたか否か判別し（ステップＳ４２）、無線接続がなされていなければ、ステップＳ４１に戻って、前記監視を続ける。
【０１５１】
ステップＳ４２で、固定局装置５と無線接続されたと判別したときには、ＣＰＵ１０１は、当該固定局装置５に対して、自装置の識別情報と、ポリシー情報の一部を送信して撮像画像情報の取得要求をする（ステップＳ４３）。
【０１５２】
この撮像画像情報の取得要求に対しては、固定局装置５からは、その識別情報が送られてくる。そこで、撮像記録装置１のＣＰＵ１０１は、当該固定局装置５からの識別情報を受け取り、無線接続を開始した現在時間と共に一時格納する（ステップＳ４４）。
【０１５３】
次に、ＣＰＵ１０１は、前記固定局装置５と無線接続中であることを確認するためのセッション情報を生成して、バッファメモリとしてのＲＡＭ１０４に記憶する（ステップＳ４５）。このセッション情報は、例えば無線接続中の２台の装置５と装置１の識別情報と、前記無線接続の開始時刻とから生成した数値情報により構成することができる。無線接続の開始時刻を、セッション情報の生成に使用するのは、撮像記録装置１と固定局装置５とが、複数回、無線接続することがあるので、それぞれの回の無線接続を区別するためである。このため、時間情報の代わりに、回数を用いてセッション情報を生成するようにしてもよい。
【０１５４】
次に、ＣＰＵ１０１は、情報取得要求についてのポリシー情報が、自分が写っている撮像画像のみを要求（以下、本人限定要求という）しているかどうか判別し（ステップＳ４６）、本人限定要求をしていると判別した時には、ＣＰＵ１０１は、前述の撮影要求者撮影判別で説明したように、自己の撮像記録装置１のＧＰＳ受信機５２４で使用中のＧＰＳ衛星の情報と、当該ＧＰＳ受信機５２４で測定した位置情報とを、固定局装置５に送る（ステップＳ４７）。その後、ステップＳ４８に進む。
【０１５５】
ステップＳ４８では、固定局装置５から撮像画像データや音声データが送られてくることを示す受信フラグを立てて、受信準備を行なう。ステップＳ４６で、本人限定要求がないと判別したときには、ステップＳ４７をバイパスして、ステップＳ４８に進む。
【０１５６】
次に、ＣＰＵ１０１は、固定局装置５との無線接続が継続しているか否か判別する（ステップＳ４９）。このステップＳ４９で、固定局装置５との無線接続が継続していると判別したときには、ＣＰＵ１０１は、受信フラグを調べ、受信フラグが立っていて、受信データがあることを検知したときには、当該受信データの受信処理を行ない、固定局装置５から送られてくる撮像画像データや音声データを受信して、ステップＳ４４で格納した固定局装置５の識別情報や無線接続を開始した時間情報に対応して、データ格納部１２３に格納する（ステップＳ５０）。
【０１５７】
次に、ＣＰＵ１０１は、固定局装置５との間でセッション情報を交換し、セッション情報がやり取りをできるかチェックする（ステップＳ５１）。そして、ステップＳ４９に戻る。無線接続中は、セッション情報のやり取りが可能であり、セッション情報のやり取りができなくなったときには、固定局装置５と自己の撮像記録装置１とが離間して、無線接続が不可となったことが判る。
【０１５８】
ステップＳ４９で、無線接続ができなくなったと判別したときには、ＣＰＵ１０１は、受信フラグをリセットして、固定局装置５からの画像データ等の受信格納を停止すると共に、当該無線接続ができなくなった時刻を、今回の無線接続の終了時刻として、ステップＳ５０で格納した受信した撮像画像データ等に対応する時間情報に含めて格納する。（ステップＳ５２）。そして、ＣＰＵ１０１は、この処理ルーチンを終了する。
【０１５９】
なお、ステップＳ４１での無線接続の監視を行なう無線接続部の他に、この無線通信部よりは遠距離まで通信を可能とする、データのやり取りをする無線通信部を備えるようにすることもできるが、その場合には、ステップＳ５２において、無線接続部により接続が切れた場合でも、受信データが残っている場合には、受信処理を行なうことができる。
【０１６０】
次に、図１０および図１１を参照して、固定局装置５が、撮像記録装置１と無線接続するときの処理動作を説明する。この図１０および図１１における各ステップの処理動作は、ＣＰＵ５０１が、ＲＯＭ５０３のプログラムにしたがって、ＲＡＭ５０４をワークエリアとして使用して実行する。
【０１６１】
図１０に示すように、ＣＰＵ５０１は、撮像記録装置１の接近および無線接続を監視し（ステップＳ６１）、無線接続がなされたか否か判別し（ステップＳ６２）、無線接続がなされていなければ、ステップＳ６１に戻って、前記監視を続ける。
【０１６２】
ステップＳ６２で、撮像記録装置１と無線接続されたと判別したときには、ＣＰＵ５０１は、当該撮像記録装置からの識別情報ＩＤｒとポリシー情報の一部の情報とを伴う撮像画像要求を受信し、一時記憶する（ステップＳ６３）。
【０１６３】
次に、ＣＰＵ５０１は、自己の固定局装置５の識別情報を、撮像記録装置１に送る（ステップＳ６４）。ここで、固定局装置５側にもポリシー情報が設定されている場合には、このステップＳ６４において、固定局装置５から撮像記録装置1に送信するようにする。
【０１６４】
次に、ＣＰＵ５０１は、撮像記録装置１と無線接続中であることを確認するためのセッション情報を生成して、バッファメモリとしてのＲＡＭ５０４に記憶する（ステップＳ６５）。
【０１６５】
次に、ＣＰＵ５０１は、相手の撮像記録装置１からの情報取得要求についてのポリシー情報が、本人限定要求しているかどうか判別し（ステップＳ６６）、本人限定要求をしてはいないと判別したときには、送信フラグを立てて、撮像部５２１で撮像した画像データを、相手の撮像記録装置１に送信する準備を行なう（ステップＳ６７）。
【０１６６】
次に、ＣＰＵ５０１は、相手の撮像記録装置１との無線接続が継続しているか否か判別する（ステップＳ６８）。ステップＳ６８で、相手の撮像記録装置１との無線接続が継続していると判別したときには、ＣＰＵ５０１は、送信フラグを調べ、送信フラグが立っているときには、送信できる画像データ等の送信処理を行なう（ステップＳ６９）。
【０１６７】
次に、ＣＰＵ５０１は、相手の撮像記録装置１との間でセッション情報を交換し、セッション情報がやり取りをできるかチェックする（ステップＳ７０）。そして、ステップＳ６８に戻る。無線接続中は、セッション情報のやり取りが可能であり、セッション情報のやり取りができなくなったときには、相手の撮像記録装置１と自己の固定局装置５とが離間して、無線接続が不可となったことが判る。
【０１６８】
ステップＳ６８で、無線接続ができなくなったと判別したときには、ＣＰＵ５０１は、送信フラグをリセットして、撮像画像データの撮像画像装置１への送信を停止する（ステップＳ７１）。情報提供履歴を残す場合には、ステップＳ６３で一時記憶した相手の撮像記録装置の識別情報および無線接続の開始時刻に加えて、前記無線接続の終了時刻を、データ格納部５２３に格納するようにする。
【０１６９】
なお、ステップＳ６１での無線接続の監視を行なう無線接続部の他に、この無線通信部よりは遠距離まで通信を可能とする、データのやり取りをする無線通信部を備えるようにすることもできるが、その場合には、ステップＳ７１において、無線接続部により接続が切れた場合でも、送信データが残っている場合には、送信を行なう。
【０１７０】
そして、ＣＰＵ５０１は、固定局装置５が設置されているテーマパークやイベント会場における営業の終了時刻になったか否か判別し（ステップＳ７２）、営業の終了時刻になっていないと判別したときには、ステップＳ６１に戻り、撮像記録装置１との無線接続の監視を再開する。
【０１７１】
ステップＳ７２で、営業終了時刻になったと判別したときには、ＣＰＵ５０１は、情報提供履歴を残すようにするため、ステップＳ６３で一時記憶した撮像記録装置の識別情報および無線接続の開始時刻に加えて、前記無線接続の終了時刻を、データ格納部１２３に格納するようにする（ステップＳ７３）。そして、その後、この処理ルーチンを終了する。
【０１７２】
次に、ステップＳ６６で、本人限定要求があると判別したときには、ＣＰＵ５０１は、情報取得要求してきた撮像記録装置１から、使用中のＧＰＳ衛星のリストを受信し（図１１のステップＳ８１）、使用中のＧＰＳ衛星は、自己の撮像記録装置と相手の撮像記録装置とで同じであるか否か判別する（ステップＳ８２）。
【０１７３】
ステップＳ８２で、使用中のＧＰＳ衛星は、自己の固定局装置５と相手の撮像記録装置１とで同じではないと判別したときには、ＣＰＵ５０１は、本人限定要求には応えることができないので、図１０のステップＳ６８に進む。
【０１７４】
ステップＳ８２で、使用中のＧＰＳ衛星は、自己の固定局装置５と相手の撮像記録装置１とで同じであると判別したときには、ＣＰＵ５０１は、相手の撮像記録装置から、位置情報を受信し（ステップＳ８３）、相手の撮像記録装置との無線接続が継続しているか否か判別する（ステップＳ８４）。ステップＳ８４で、無線接続ができなくなったと判別したときには、図１０のステップＳ７１に進む。
【０１７５】
ステップＳ８４で、相手の撮像記録装置１との無線接続が継続していると判別したときには、ＣＰＵ５０１は、自己の固定局装置５のＧＰＳ受信機５２４で測定した位置情報と、相手の撮像記録装置１から受信した位置情報とから、自己の固定局装置５に対する撮像記録装置１の方向を算出する（ステップＳ８５）。
【０１７６】
次に、ＣＰＵ５０１は、電子コンパス５２５で算出した方向と、画角と、ステップＳ８５で算出した自己の固定局装置５に対する撮像記録装置１の方向とから、撮像記録装置１の使用者が、撮像部５２１で撮像可能であるかどうか算出する（ステップＳ８６）。そして、ＣＰＵ５０１は、撮像記録装置１の使用者が、撮像部５２１で撮像可能であるか否か判別し（ステップＳ８７）、撮像可能ではないと判別したときには、相手の撮像記録装置１には撮像画像データ等は送信せず、ステップＳ８３に戻る。
【０１７７】
また、ステップＳ８７で、撮像可能であると判別したときには、ＣＰＵ５０１は、撮像画像データ等を、相手の撮像記録装置１に送信する（ステップＳ８６）。そして、ＣＰＵ５０１は、ステップＳ８３に戻る。
【０１７８】
この第２の実施形態の場合には、撮像記録装置１は、自装置からの情報提供する機能を備える必要がない。したがって、情報要求側装置としては、撮像記録装置とする必要はない。つまり、情報要求側装置は、撮像部や撮像データ等を格納するための大容量のデータ格納部は不要である。
【０１７９】
このため、情報要求側装置は、ＰＤＡ（Ｐｅｒｓｏｎａｌ  Ｄｉｇｉｔａｌ  Ａｓｓｉｓｔａｎｔｓ）や携帯電話端末、あるいは携帯型のパーソナルコンピュータで構成するようにすることもできる。
【０１８０】
また、第２の実施形態においては、使用者は、観光地やテーマパークあるいはイベント会場に出向く際に、情報要求側装置を持参するのではなく、管理センター装置６を運営する業者が、有料であるいは無料で、情報要求側装置（撮像機能なし）を貸与するようにすることができる。その場合、当該情報要求側装置のデータ格納部は、例えばカード型メモリなど、着脱が可能な記録媒体により構成し、当該記録媒体を、貸与した使用者に提供するようにする。撮像情報の取得要求した使用者は、自宅に帰って、例えばパーソナルコンピュータに、当該カード型メモリを装着して、撮像情報を再生したり、印刷したりすることができる。
【０１８１】
なお、固定局装置５からの無線電波を絞り、固定局装置５が撮像可能な範囲に入った撮像記録装置１のみを検知するようにしても良い。この場合、固定局装置５は、無線接続した撮像記録装置１の使用者を確実に撮像可能となる。
【０１８２】
また、固定局装置５が、撮像可能な位置にある椅子に撮像要求者が座ったことや、固定局装置５が撮像可能な位置にある記念碑の横に立ったことをセンサなどにより検知することにより、撮像要求者の存在を知って、撮像記録を行なうようにすることもできる。
【０１８３】
［変形例］
以上の実施形態の説明では、情報要求側装置に送られる撮像画像情報等は、情報提供側装置と、情報要求側装置とが無線接続していた期間の情報としたが、無線接続した期間よりも前にデータ格納部に格納されていた撮像情報等も、情報取得対象とするようにしても良い。
【０１８４】
以上の実施形態では、情報取得対象は、撮像画像情報あるいは撮像画像情報と音声情報であったが、当該無線接続された時点などにおいて記録された音声情報のみを情報取得対象としても良い。
【図面の簡単な説明】
【０１８５】
【図１】この発明による情報要求・提供装置の実施形態の構成例としての撮像記録装置のブロック図である。
【図２】実施形態の情報要求・提供装置の機能の一部を説明するための図である。
【図３】実施形態の情報要求・提供装置による情報取得方法を説明するための図である。
【図４】実施形態の情報要求・提供装置による情報取得方法を説明するためのフローチャートの一部である。
【図５】実施形態の情報要求・提供装置による情報取得方法を説明するためのフローチャートの一部である。
【図６】実施形態の情報要求・提供装置による情報取得方法を説明するためのフローチャートの一部である。
【図７】この発明による第２の実施形態における情報取得システムの概要を説明するための図である。
【図８】第２の実施形態における情報提供側装置の例としての固定局装置の構成例を示すブロック図である。
【図９】第２の実施形態における情報要求側装置の例としての撮像記録装置の処理動作を説明するためのフローチャートである。
【図１０】第２の実施形態における情報提供側装置の例としての固定局装置の処理動作を説明するためのフローチャートの一部である。
【図１１】第２の実施形態における情報提供側装置の例としての固定局装置の処理動作を説明するためのフローチャートの一部である。
【符号の説明】
【０１８６】
１…撮像記録装置、５…固定局装置、１２１，５２１…撮像部、１２７，５２７…無線通信部
【図１】
2005086608.tif 000003
【図２】
2005086608.tif 000004
【図３】
2005086608.tif 000005
【図４】
2005086608.tif 000006
【図５】
2005086608.tif 000007
【図６】
2005086608.tif 000008
【図７】
2005086608.tif 000009
【図８】
2005086608.tif 000010
【図９】
2005086608.tif 000011
【図１０】
2005086608.tif 000012
【図１１】
2005086608.tif 000013